【手続補正書】
【提出日】平成18年2月24日(2006.2.24)
【手続補正１】
【補正対象書類名】明細書
【補正対象項目名】発明の名称
【補正方法】変更
【補正の内容】
【発明の名称】加熱装置及び画像形成装置
【手続補正２】
【補正対象書類名】明細書
【補正対象項目名】特許請求の範囲
【補正方法】変更
【補正の内容】
【特許請求の範囲】
【請求項１】  磁束発生手段と、磁束発生手段の発生磁束の作用により電磁誘導発熱する誘導発熱体を有し、加熱部において磁束発生手段から誘導発熱体に対する作用磁束の、被加熱材の搬送方向に交差する加熱部長尺方向に関する密度分布を変化せしめる磁束調整手段を備え、加熱部に被加熱材を導入搬送させて誘導発熱体の熱により被加熱材を加熱する加熱装置において、
磁束発生手段を保持する保持部材と磁束調整手段である磁束遮蔽部材を有し、保持部材の長手方向の両端部には支持部が設けられ、該保持部材の支持部にて磁束遮蔽部材を回動可能に支持することを特徴とする加熱装置。
【請求項２】  誘導発熱体が中空円筒形状のとき、磁束遮蔽部材の回動中心と円筒形状誘導発熱体の中心が同じ軸中心上にある、請求項１に記載の加熱装置。
【請求項３】  磁束遮蔽部材は、略円弧形状である、請求項１は２に記載の加熱装置。
【請求項４】  磁束遮蔽部材は、被加熱材のサイズに応じた遮蔽部が段階的に変化している形状である、請求項１乃至３のいずれかに記載の加熱装置。
【請求項５】  磁束遮蔽部材は、磁束遮蔽部材の駆動手段により遮蔽を要する被加熱材のサイズに応じた遮蔽位置に対応した角度分だけ回動移動し、遮蔽を要する被加熱材のサイズの非通紙部を磁束遮蔽部材の段階的に変化している形状部により磁性体コアと誘導発熱体の間を遮蔽するものである、請求項１乃至４のいずれかに記載の加熱装置。
【請求項６】  磁束発生手段の磁性体コアの形状がＴ字型である、請求項１乃至５のいずれかに記載の加熱装置。
【請求項７】  Ｔ字型の磁性体コアのとき、磁束遮蔽部材は、磁束遮蔽部材の駆動手段により遮蔽を要する被加熱材のサイズに応じた遮蔽位置に対応した角度分だけ回動移動され、遮蔽を要する被加熱材のサイズの非通紙部において、磁束遮蔽部材は少なくともＴ字型コアの中央部と誘導発熱体の間を遮蔽するために磁束遮蔽部材の段階的に変化している形状の遮蔽部を回動移動されるものである、請求項１乃至６のいずれかに記載の加熱装置。
【請求項８】  励磁コイルと磁性体コアを有する磁束発生手段と、磁束発生手段の発生磁束の作用により電磁誘導発熱する誘導発熱体を有し、加熱部において磁束発生手段から誘導発熱体に対する作用磁束の、被加熱材の搬送方向に交差する加熱部長尺方向に関する密度分布を変化せしめる磁束調整手段を備え、加熱部に被加熱材を導入搬送させて誘導発熱体の熱により被加熱材を加熱する加熱装置において、励磁コイルと磁性体コアを保持する保持部材を回動可能に支持し、固定支持されている磁束遮蔽部材の作用する位置に保持部材が回動可能とすることを特徴とする加熱装置。
【請求項９】  磁束遮蔽部材は、略円弧形状である、請求項８に記載の加熱装置。
【請求項１０】  磁束遮蔽部材の形状は、被加熱材のサイズに応じた遮蔽部が段階的に変化している形状である、請求項８又は９に記載の加熱装置。
【請求項１１】  励磁コイルと磁性体コアを保持する保持部材は、保持部材の駆動手段により遮蔽する被加熱材のサイズに応じた遮蔽位置に対応した角度分だけ回動移動し、遮蔽する被加熱材のサイズの非通紙部を磁束遮蔽部材の段階的に変化している形状部により磁性体コアと誘導発熱体の間を遮蔽するものである、請求項８乃至１０のいずれかに記載の加熱装置。
【請求項１２】  磁束発生手段の磁性体コアの形状がＴ字型である、請求項８乃至１１のいずれかに記載の加熱装置。
【請求項１３】  Ｔ字型の磁性体コアのとき、励磁コイルと磁性体コアを保持する保持部材は、保持部材の駆動手段により遮蔽を要する被加熱材のサイズに応じた遮蔽位置に対応した角度分だけ回動移動され、遮蔽を要する被加熱材のサイズの非通紙部において、保持部材は少なくともＴ字型コアの中央部と誘導発熱体の間を遮蔽するために磁束遮蔽部材の段階的に変化している形状の遮蔽部に回動移動されるものである、請求項８乃至１２のいずれかに記載の加熱装置。
【請求項１４】  磁束遮蔽部材は、非磁性かつ良電気導電性の物質で作られる、請求項１乃至１３のいずれかに記載の加熱装置。
【請求項１５】  磁束遮蔽部材の材質は、アルミニウム、銅、マグシウム、銀などの合金である、請求項１乃至１３のいずれかに記載の加熱装置。
【請求項１６】  保持部材の支持部の少なくとも一方を中空パイプ形状にし、内部に励磁コイルの束線を通したものである、請求項１乃至１５のいずれかに記載の加熱装置。
【請求項１７】  保持部材の支持部の少なくとも一方の形状が磁束遮蔽部材の回動する周方向を規制する形状である、請求項１乃至１６のいずれかに記載の加熱装置。
【請求項１８】  保持部材は、非磁性、電気絶縁性および高耐熱性の物質で作られる、請求項１乃至１７のいずれかに記載の加熱装置。
【請求項１９】  保持部材の材質は、ＰＰＳ系樹脂、ＰＥＥＫ系樹脂、ポリイミド樹脂、ポリアミド系樹脂、ポリアミドイミド系樹脂、セラミック、液晶ポリマー、フッ素系樹脂である、請求項１乃至１７のいずれかに記載の加熱装置。
【請求項２０】  保持部材および磁束遮蔽部材を一つのアセンブリ（ユニット）構成にしたことを特徴とする、請求項１乃至１９のいずれかに記載の加熱装置。
【請求項２１】  一つの誘導発熱体に対して、一つ以上のアセンブリ構成された磁束調整手段の付いた磁束発生手段をさらに備えることを特徴とする請求項１乃至２０のいずれかに記載の加熱装置。
【請求項２２】  被加熱材が画像を担持した記録材であることを特徴とする請求項１乃至２１のいずれかに記載の加熱装置。
【請求項２３】  記録材上に画像を形成する像形成手段と、該記録材上の画像を加熱する像加熱手段とを有する画像形成装置において、前記像加熱手段が請求項１乃至２２のいずれかに記載の加熱装置であることを特徴とする画像形成装置。
【手続補正３】
【補正対象書類名】明細書
【補正対象項目名】０００１
【補正方法】変更
【補正の内容】
【０００１】
【発明の属する技術分野】
本発明は、例えば、複写機・プリンタ・ファクシミリなどの画像情報記録装置（画像形成装置）において未定着画像を加熱・加圧定着させるための画像加熱定着装置として用いて好適な、特に電磁（磁気）誘導加熱方式の加熱装置に関する。また、該加熱装置を像加熱手段として備えた画像形成装置に関する。
【手続補正４】
【補正対象書類名】明細書
【補正対象項目名】００２２
【補正方法】変更
【補正の内容】
【００２２】
このような構成において、保持部材は磁束発生手段を保持し、磁束遮蔽部材は保持部材の長手方向両端部の支持部を支点に回動するので、誘導発熱体内部において磁束遮蔽部材を磁束発生手段に対して回動させることができる。したがって、誘導発熱体の外部に磁束遮蔽部材の待機スペースを設ける必要がなく、また、磁束遮蔽部材の回動を保持部材の長手方向片側から行えるので、磁束遮蔽部材の駆動手段用設置スペースを誘導発熱体の長手方向片側に設けるだけでよい。よって、磁束遮蔽部材の待機スペースや駆動手段の設置スペースの省スペース化を実現できる。
また、本発明は以下の構成を特徴とする加熱装置である。
励磁コイルと磁性体コアを有する磁束発生手段と、磁束発生手段の発生磁束の作用により電磁誘導発熱する誘導発熱体を有し、加熱部において磁束発生手段から誘導発熱体に対する作用磁束の、被加熱材の搬送方向に交差する加熱部長尺方向に関する密度分布を変化せしめる磁束調整手段を備え、加熱部に被加熱材を導入搬送させて誘導発熱体の熱により被加熱材を加熱する加熱装置において、励磁コイルと磁性体コアを保持する保持部材を回動可能に支持し、固定支持されている磁束遮蔽部材の作用する位置に保持部材が回動可能とすることを特徴とする加熱装置。
このような構成においても、磁束遮蔽部材の待機スペースや駆動手段の設置スペースの省スペース化を実現できる。